(57)【要約】【課題】本発明は、回転させることにより数値を入力する回転キー及びロック機能を備えるとともに、ユーザが、この回転キーを用いてロックを解除することができる携帯電話機を提供する。【解決手段】回転することにより文字列を入力する回転キーを備え、少なくとも、この回転キーが外部に露出している第１の状態に変形する携帯電話機であって、携帯電話機が第１の状態でロックされている際、回転キーによる文字列の入力を受け付ける第１の受付手段（Ｓ１０３乃至Ｓ１０９）と、受け付けられた文字列が所定の文字列と一致するか否かを判断する判断手段（Ｓ１１１）と、一致すると判断された場合、携帯電話機のロックを解除する解除手段（Ｓ１１５）と、を備えた。【選択図】  図６
2010081094.tif 000002
【特許請求の範囲】
【請求項１】
回転することにより文字列を入力する回転キーを備え、少なくとも、この回転キーが外部に露出している第１の状態に変形する携帯電話機であって、
携帯電話機が前記第１の状態でロックされている際、前記回転キーによる文字列の入力を受け付ける第１の受付手段と、
前記第１の受付手段により受け付けられた文字列が所定の文字列と一致するか否かを判断する判断手段と、
前記判断手段により一致すると判断された場合、前記携帯電話機のロックを解除する解除手段と、
を備えたことを特徴とする携帯電話機。
【請求項２】
ダイヤルキーが外部に露出している第２の状態に変形するとともに、
前記第１の受付手段は、前記回転キーによる文字列の入力を受け付けている間、携帯電話機が前記第２の状態に遷移された場合、前記ダイヤルキーによる文字列の入力を受け付けることを特徴とする請求項１記載の携帯電話機。
【請求項３】
携帯電話機のロックが設定されている際、所定機能の起動の指示を受け付ける第２の受付手段と、
前記第２の受付手段が所定機能の起動の指示を受け付けた際、前記解除手段により前記携帯電話機のロックが解除された場合に、この所定機能を起動する起動手段と、を備えたことを特徴とする請求項１記載の携帯電話機。
【請求項４】
前記第１の受付手段は、前記回転キーが第１の回転方向に回転されている間、所定の回転角度ごとに入力対象の桁に入力されている値を変更するとともに、前記回転キーが第２の回転方向に回転された場合、この入力対象の桁の値を確定して、入力対象を次の桁に移動させることを特徴とする請求項１記載の携帯電話機。
【請求項５】
前記第１の受付手段は数値の入力を受け付け、前記回転キーが第１の回転方向に回転されている間、所定の回転角度ごとに入力対象の桁に入力されている数値に１を加算するとともに、前記回転キーが第２の回転方向に回転された場合、この入力対象の桁に入力されている数値に１を減算することを特徴とする請求項１記載の携帯電話機。
【請求項６】
携帯電話機のロックが設定されている際、メールを受信する受信手段と、
前記受信手段がメールを受信した際、前記解除手段により前記携帯電話機のロックが解除された場合に、このメールの内容を表示する表示手段と、
前記表示手段がメールの内容を表示する際、このメールに対する返信内容のリストを前記回転キーにより選択可能なように提示する提示手段と、
前記提示手段により提示されたリストから返信内容が選択された場合、この選択された返信内容に基づいて、前記受信手段が受信したメールに対してメールを返信する返信手段と、を備えたことを特徴とする請求項１記載の携帯電話機。
【発明の詳細な説明】
【技術分野】
【０００１】
本発明は、回転させることにより数値を入力する回転キー、及び操作ロック機能を備えるとともに、この回転キーを用いて操作ロックを解除することができる携帯電話機に関する。
【背景技術】
【０００２】
近年、携帯電話機等の電子機器において小型化、高性能化が進み、複数の筐体を開閉自在に結合させるとともに、不使用時には閉じられたコンパクトな状態でユーザにより携帯され、使用時には開かれた状態で使用される電子機器が増えてきている。このような電子機器では、不使用時の誤操作を防止するために、閉じられた状態では文字や数字等を入力するための操作キーが外部に露出していないものが一般的である。
【０００３】
また、これらの電子機器において不使用時には誤操作を防止するために操作ロックがかけられていることが多く、ユーザがこの操作ロックを解除するためには、特定のロック番号を入力する必要がある場合が多い。閉じた状態になっている電子機器において、ロック番号を入力するためには、携帯電話機を開いた状態に変形させてからロック番号を入力する必要があり、ユーザが、片手のみしか使えない状況にある場合や携帯電話機が閉じた状態であっても可能な簡単な操作のみを行いたい場合などには、いちいち携帯電話機を開いてロック番号を入力することが面倒であった。
【０００４】
そこで、ヒンジ等の連結部により二つの筐体間の相対的な位置関係を変更可能となされた構成を有する装置において、キー操作によらずに、文字や数字、暗証番号等を入力可能とすることができる電子機器が提案されている（例えば特許文献１）。この電子機器は、複数の筐体がヒンジ機構により連結された電子機器において、ユーザが複数の筐体を相対的に回動させたときの回転操作状態を４回分検出し、その４回分の回転操作の組み合わせからなる情報と、予め登録されている暗証情報とを比較し、一致したときに、この電子機器の機能を利用可能にするものである。
【特許文献１】特開２００５−３０３７９７号公報
【発明の開示】
【発明が解決しようとする課題】
【０００５】
開閉自在な携帯電話機で、特に、閉じた状態であってもディスプレイが外部に露出しているスライド方式の携帯電話機は、閉じた状態でもディスプレイの画面を視認できるという利点があるが、ロック番号の入力が必要な場合には、開いた状態に変形させないと数字キーを操作することができないため、閉じたままで画面を視認できるというスライド方式の利点を犠牲にせざるを得なかった。
【０００６】
また、これらの携帯電話機でロックが設定されているときにメールを受信した際に、ユーザは、「了解」、「ありがとう」等の簡単な返信メールを送信したい場合であっても、携帯電話機を開いた状態に変形させてからメールの本文を入力する必要があり、不便であった。
【０００７】
本発明は、上記課題を鑑みてなされてものであり、常に外部に露出する位置に回転キーを備え、ロックが設定されているときに、ユーザが、この回転キーを回転させることによりロック番号を入力してロックを解除することができる携帯電話機を提供することを目的とする。
【０００８】
また、常に外部に露出する位置に回転キーを備え、ロックが設定されているときにメールを受信した場合に、ユーザが、この回転キーを回転させることによりロック番号を入力してロックを解除するとともに、簡単に返信メールを送信することができる携帯電話機を提供することを目的とする。
【課題を解決するための手段】
【０００９】
上記課題を解決するために、本発明に係る携帯電話機は、回転することにより文字列を入力する回転キーを備え、少なくとも、この回転キーが外部に露出している第１の状態に変形する携帯電話機であって、携帯電話機が前記第１の状態でロックされている際、前記回転キーによる文字列の入力を受け付ける第１の受付手段と、前記第１の受付手段により受け付けられた文字列が所定の文字列と一致するか否かを判断する判断手段と、前記判断手段により一致すると判断された場合、前記携帯電話機のロックを解除する解除手段と、を備えたこことを特徴とする。
【発明の効果】
【００１０】
本発明に係る携帯電話機によると、常に外部に露出する位置に回転キーを備え、ロックが設定されているときに、ユーザが、この回転キーを回転させることによりロック番号を入力してロックを解除することが可能となる。
【００１１】
また、本発明に係る携帯電話機によると、常に外部に露出する位置に回転キーを備え、ロックが設定されているときにメールを受信した場合に、ユーザが、この回転キーを回転させることによりロック番号を入力してロックを解除するとともに、簡単に返信メールを送信することが可能となる。
【発明を実施するための最良の形態】
【００１２】
〔第１実施形態〕
本発明に係る携帯電話機の実施形態について、添付図面を参照しながら説明する。本発明に係る携帯電話機として、複数の筐体が相互にスライド自在に結合されてなる開閉自在の携帯電話機１を例にあげて説明する。
【００１３】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向に相互に所定長さだけスライド可能なように結合されていて、上筐体１０を下筐体１１に対してスライドさせることにより、閉じた状態から開いた状態に、あるいは開いた状態から閉じた状態に変形する。
【００１４】
上筐体１０の外面（下筐体１１に対面しない側の面）には、文字や画像等からなる画面を表示するためのディスプレイ１２、音声を出力するためのスピーカ１３、ユーザが指示を入力するための複数の操作キー１４が設けられている。これらのディスプレイ１２やスピーカ１３、操作キー１４は、携帯電話機１が閉じた状態であっても開いた状態であっても外部に露出するように設けられている。よって、携帯電話機１が閉じた状態であっても開いた状態であっても、ユーザはディスプレイ１２を視認したり操作キー１４を押下（回転）したりすることができる。
【００１５】
下筐体１１の内面（上筐体１０に対面する側の面）には、ユーザが指示を入力するための複数の操作キー１５、音声を集音するためのマイクロフォン１６が設けられている。これらの操作キー１５やマイクロフォン１６は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１５を押下することができるが、携帯電話機１が閉じた状態のときには、ユーザは操作キー１５を押下することができない。
【００１６】
下筐体１１の側面には、ユーザが指示を入力するための複数のサイドキー１７が設けられている。これらのサイドキー１７は、携帯電話機１が閉じた状態であっても開いた状態であっても外部に露出するように設けられている。よって、携帯電話機１が閉じた状態であっても開いた状態であっても、ユーザはサイドキー１７を押下することができる。
【００１７】
次に、携帯電話機１の機能について、図２に示すブロック図を用いて説明する。携帯電話機１は、図２に示すように、主制御部２０、電源回路部２１、操作入力制御部２２、表示制御部２３、音声制御部２４、通信制御部２５、記憶部２６、及び、ロック制御部２７がバスによって相互に接続されて構成されている。
【００１８】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するメール返信処理、その他の様々な演算処理や制御処理等を行う。電源回路部２１は、ユーザによる操作キー１４を介した入力に基づいて電源のオン／オフ状態を切り替え、電源がオン状態の場合に電力供給源（バッテリ等）から各部に対して電力を供給して、携帯電話機１を動作可能にする。
【００１９】
操作入力制御部２２は操作キー１４、１５、及びサイドキー１７に対する入力インタフェースを備え、操作キー１４、操作キー１５、サイドキー１７の押下（回転）が検出されると、その押下（回転）されたキーを示す信号を生成して、この信号を主制御部２０に伝送する。表示制御部２３はディスプレイ１２に対する表示インタフェースを備え、主制御部２０の制御に基づいて、文書や画像等の情報をディスプレイ１２に表示する。
【００２０】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１３から音声として出力する。
【００２１】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１３から出力されたり、表示制御部２３に伝送されてディスプレイ１２に表示されたり、または記憶部２６に記録されたりする。また通信制御部２５は、主制御部２０の制御に基づいて、マイクロフォン１６で集音された音声データや操作キー１４、１５、サイドキー１７を介して入力されたデータや記憶部２６に記憶されたデータを取得すると、これらのデータに対してスペクトラム拡散処理を行い、基地局に対してアンテナ２５ａを介して送信する。
【００２２】
記憶部２６は、主制御部２０及びロック制御部２７が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０やロック制御部２７が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するメール返信処理を行う際の処理プログラムや、ロック制御部２７が後述するロック解除処理やロック番号入力処理を行う際の処理プログラムは、例えばＲＯＭに記憶されているものとする。
【００２３】
ロック制御部２７は、携帯電話機１が有する各々の機能に対してロックをかけて使用を禁止したり、このロックを解除して各々の機能の使用を許可したりする。例えばロック制御部２７は、携帯電話機１における無操作の状態が所定時間（例えば１０秒）経過したことに基づいて、携帯電話機１にロックを設定する。またロック制御部２７は、携帯電話機１にロックが設定されているときに、ユーザにより所定のロック番号が入力されたことに基づいて、この携帯電話機１のロックを解除する。なお、この所定のロック番号は、例えば記憶部２６に予め記憶されている。
【００２４】
図３（Ａ）は、携帯電話機１が閉じた状態のときの操作キー１４のキー配列を示す図であり、図３（Ｂ）は、携帯電話機１が開いた状態のときの操作キー１４、１５のキー配列を示す図である。また、図４は、携帯電話機１の操作キー１４、１５のキー配列表を示す図である。
【００２５】
図３（Ａ）及び図３（Ｂ）に示すように、例えば操作キー１４は、メール機能を起動するためのメールキー１４ａ、Ｗｅｂ閲覧機能を起動するためのＷｅｂキー１４ｂ、電話の発呼を行うための発信キー１４ｃ、電話の終話を行ったり電源のＯＮ／ＯＦＦを切り替えたりするための終話キー１４ｄ、入力された情報を削除するためのクリアキー１４ｅ、メニュー画面を表示するためのメニューキー１４ｆ、指示を確定するためのＯＫキー１４ｇ、カーソルや画面等を上下左右に移動させるための方向キー１４ｈ、回転させることにより情報を入力する回転キー１４ｉ等により構成されている。また、図３（Ｂ）に示すように、例えば操作キー１５は、「１」、「２」、…、「９」、「０」、「＊」、「＃」等のダイヤルキー１５ａにより構成されている。
【００２６】
なお、方向キー１４ｈ及び回転キー１４ｉは同一のドーナツ型のキーで形成されていて、このドーナツ型のキーの一部（例えば上下左右の４点）が押下された場合には方向キー１４ｈからの入力として受け付けられ、このドーナツ型のキーが回転された場合には回転キー１４ｉからの入力として受け付けられる。
【００２７】
携帯電話機１は、操作ロック機能を備えている。すなわち、携帯電話機１にロックが設定されているときには、携帯電話機１が有する各々の機能の起動が禁止されている。よって、ロックが設定された状態にある携帯電話機１において、ユーザがいずれかの機能の起動を指示した場合に、携帯電話機１は、このロックが解除されない限りは、この指示された機能を起動しない。そこでロック制御部２７は、ロック中にいずれかの機能の起動が指示されたときにユーザに対してロック番号を入力するように促し、入力されたロック番号と予め記憶されたロック番号とが一致した場合にのみ、携帯電話機１に設定されているロックを解除して、このユーザにより指定された機能を起動する。
【００２８】
従来の開閉自在の携帯電話機では、ユーザがロック番号を入力する場合には、ダイヤルキーを用いて数字を入力する必要があったため、閉じた状態のときにダイヤルキーが閉塞されているタイプの携帯電話機では、ユーザが数字を入力するときに携帯電話機が閉じた状態である場合に、携帯電話機を開いた状態に変形させてからダイヤルキーを押下する必要があった。よって、ユーザが急いでロックを解除したい場合、携帯電話機を開かずに済むような簡単な処理のみを行いたい場合、携帯電話機が閉じた状況でユーザが片手で操作する必要があった場合などに、ユーザは、携帯電話機を開いた状態に変形させないとロックを解除できないため、面倒であった。
【００２９】
そこで本発明の携帯電話機１は、常に外部に露出されている位置に回転キー１４ｉを備えていて、ユーザは、この回転キー１４ｉを回転させることにより、その回転角度に応じた数字を入力できるように構成されている。例えば図５（Ａ）及び図５（Ｂ）に示すように、１周の回転角度である３６０°が８分割されていて、携帯電話機１は、回転キー１４ｉの４５°の回転を検出するごとに、「１」を加算していく。
【００３０】
ここでは、図５（Ａ）に示すように、最初に「１」が入力されているものとすると、回転キー１４ｉが時計回りに４５°回転すると、「１」の代わりに「２」が入力され、更に時計回りに４５°回転して合わせて９０°回転すると、「２」の代わりに「３」が入力され、このように時計回りの４５°の回転ごとに順次「１」が加算されていく。そして、ＯＫキー１４ｇが押下されると、あるいは回転方向が反転されて反時計回りに回転されると、携帯電話機１は、そのときに入力されている数字を最終的に入力された数字として確定する。
【００３１】
同様に、図５（Ｂ）に示すように、最初に「１」が入力されているものとすると、回転キー１４ｉが反時計回りに４５°回転すると、「１」の代わりに「２」が入力され、更に反時計回りに４５°回転して合わせて９０°回転すると、「２」の代わりに「３」が入力され、このように反時計回りの４５°の回転ごとに順次「１」が加算されていく。そして、ＯＫキー１４ｇが押下されると、あるいは回転方向が反転されて時計回りに回転されると、携帯電話機１は、そのときに入力されている数字を最終的に入力された数字として確定する。
【００３２】
このように本発明の携帯電話機１は、閉じた状態のままであっても、回転キー１４ｉが回転させられたりＯＫキー１４ｇが押下されたりすることにより、ユーザによる番号の入力を１桁ずつ受け付け、これに基づいてロックを解除する機能を備えている。
【００３３】
ここで、携帯電話機１にロックが設定されているときに、ユーザが携帯電話機１のいずれかの機能（例えば音声発呼機能やメール機能等）の起動を指示した場合に、ロック制御部２７が、回転キー１４ｉを介して入力されたロック番号に基づいてこのロックを解除するロック解除処理を行って、指示された機能を起動する際の手順について、図６に示すフローチャート、及び図７に示す画面遷移図に基づいて説明する。以下、例えば「ステップＳ１０１」を「Ｓ１０１」のように、「ステップ」の語句を省略して説明する。
【００３４】
なお、携帯電話機１は始めにロックが設定されているものとする。また、ディスプレイ１２の表示画面３０には、例えば図７（Ａ）に示すように、電波状態や電池残量、現在日時等の情報が表示されている。ユーザは、例えば携帯電話機１を用いてメール送信やメール閲覧を行いたい場合に、メールキー１４ａを押下することにより、携帯電話機１に対してメール機能を起動するように指示を出す。
【００３５】
そこでロック制御部２７は、メール機能等のいずれかの機能の起動が指示されたか否かを判断する（Ｓ１０１）。この際、ロック制御部２７は、例えばメールキー１４ａやＷｅｂキー１４ｂ、発呼キー１４ｃ等の操作キー１４が押下されたことに基づいて、いずれかの機能の起動が指示されたものと判断する。いずれの機能の起動も指示されていない場合（Ｓ１０１のＮｏ）は、ロック制御部２７はそのまま待機する。
【００３６】
いずれかの機能の起動が指示された場合（Ｓ１０１のＹｅｓ）は、ロック制御部２７は、携帯電話機１に設定されているロックを解除するために、ユーザに対してロック番号の入力を促す（Ｓ１０３）。このときロック制御部２７は、例えば図７（Ｂ）に示すように、ディスプレイ１２の表示画面３０に、ロック番号を入力するための入力欄３１を表示することにより、ユーザに対してロック番号の入力を促す。なお、入力欄３１における入力対象の桁には、始めに「１」の数字が入力されている。
【００３７】
ユーザは、ロック番号の入力を途中で終了したいときに、例えば終話キー１４ｄを押下することにより、携帯電話機１に対してロック番号の入力の終了を指示する。よってロック制御部２７は、ロック番号の入力の終了が指示されたか否かを判断する（Ｓ１０５）。この際、ロック制御部２７は、例えば終話キー１４ｄ等の操作キー１４の押下に基づいて、ロック番号の入力の終了が指示されたものと判断する。
【００３８】
ロック番号の入力の終了が指示された場合（Ｓ１０５のＹｅｓ）は、ロック制御部２７は、ロック番号の入力の途中であっても、ディスプレイ１２の表示画面３０における入力欄３１の表示を終了するとともに、携帯電話機１のロックを解除せずに、ロック解除処理を終了する。
【００３９】
ロック番号の入力の終了が指示されていない場合（Ｓ１０５のＮｏ）は、ロック制御部２７は、回転キー１４ｉの回転に基づいてロック番号を入力するロック番号入力処理を行う（Ｓ１０７）。ロック制御部２７がこのロック番号入力処理を行う際の手順を、図８に示すフローチャート、及び図９乃至図１１に示す画面遷移図に基づいて説明する。
【００４０】
ユーザは、入力欄３１に入力されている数字を変更したい場合には、回転キー１４ｉを一定方向に回転させることにより、図９（Ａ）及び図９（Ｂ）に示すように、入力欄３１に入力されている入力対象の桁の数字を「１」から「２」、「３」、…と順次「１」を加算しながら数字を切り替えていく。この際、図９（Ｃ）及び図９（Ｄ）に示すように、「９」の数字が入力されているときに更に回転キー１４ｉを順方向に回転させると「０」に戻って、再び「１」、「２」、「３」、…と順次「１」が加算されながら数字が切り替わっていく。
【００４１】
また、ユーザは、入力欄３１に入力されている数字を確定したい場合には、回転キー１４ｉをそれまでとは逆方向に回転させる（そのとき時計回りであった場合は反時計回りに回転させ、反時計回りであった場合は時計回りに回転させる）ことにより、図９（Ｅ）に示すように、そのときに入力欄３１に入力されている入力対象の桁の数字を確定して、入力対象を次の桁に移動させる。このとき、入力が確定された桁の数字はアステリスク「＊」で表記され、新たに入力対象となった桁に「１」の数字が表示される。そして、回転キー１４ｉが再び順方向（入力を確定するために回転方向が変更された場合は、その変更後の回転方向）に回転されると、この入力対象の桁の数字が切り替えられていく。
【００４２】
さらに、ユーザは、入力欄３１において確定された数字を一旦削除して再度入力したい場合には、クリアキー１４ｅを押下することにより、図９（Ｆ）に示すように、入力対象となっている桁の数字を削除することができる。そして更にユーザがクリアキー１４ｅを押下することにより、図９（Ｇ）に示すように、削除された桁の１つ前の桁が入力対象となり、この桁に「１」の数字が入力される。
【００４３】
そして、ユーザが、回転キー１４ｉを用いてロック番号を入力を行っている最中に、携帯電話機１を開いた状態に変形させてダイヤルキー１５ａを押下した場合には、入力欄３１において入力されている数字を、ダイヤルキー１５ａを用いて入力された数字に置き換えて、入力対象となっている桁をこの数字で確定し、図９（Ｈ）に示すように、入力対象となっている桁の数字をアステリスク「＊」で表記する。この場合、回転キー１４ｉを用いた入力、及びダイヤルキー１５ａを用いた入力の双方の入力が受け付けられるため、ユーザは任意の入力方法でロック番号を入力できる。よってユーザは、回転キー１４ｉを回転させながら数字を入力している最中にダイヤルキー１５ａを用いて数字を直接入力したり、ダイヤルキー１５ａを用いて数値を直接入力している最中に回転キー１４ｉを回転させて数字を変更させたりすることができる。
【００４４】
まず、ロック制御部２７は、回転キー１４ｉが回転されたか否かを判断する（Ｓ２０１）。この際、ロック制御部２７は、例えば回転キー１４ｉが時計回りまたは反時計回りに４５°回転されたことに基づいて、回転キー１４ｉが回転されたものと判断する。回転キー１４ｉが回転されていない場合（Ｓ２０１のＮｏ）は、ロック制御部２７はロック番号入力処理を終了する。
【００４５】
回転キー１４ｉが回転された場合（Ｓ２０１のＹｅｓ）は、ロック制御部２７は、所定の桁数の数字が入力されたか否かを判断する（Ｓ２０３）。ここでいう所定の桁数は、ロック番号として設定可能な最大桁数であり、例えば８桁である。
【００４６】
所定の桁数の数字が入力されている場合（Ｓ２０３のＹｅｓ）は、ロック制御部２７は、ユーザに対して、入力可能な桁数を超えている旨を警告する（Ｓ２０５）。図１０（Ａ）は、既に７桁の数字が入力・確定されているとともに、「６」の数字が入力された状態を示すディスプレイ１２の表示画面３０の画面図である。図１０（Ｂ）は、その後、回転キー１４ｉが逆周りに回転されて、「６」の数字が確定された状態を示すディスプレイ１２の表示画面３０の画面図である。その後、ユーザが更に回転キー１４ｉを回転させて９桁目の数字を入力しようとすると、ロック番号は８桁しか入力できないため、図１０（Ｃ）に示すように、例えば警告音を発生させたり携帯電話機１を振動させたりすること等により、ユーザに対して警告する。そしてロック制御部２７は、ロック番号入力処理を終了する。
【００４７】
所定の桁数の数字が入力されていない場合（Ｓ２０３のＮｏ）は、ロック制御部２７は、ステップＳ２０１における回転が順方向であるか否かを判断する（Ｓ２０７）。この際、ロック制御部２７は、ステップＳ２０３における回転が前回の回転方向と同一の方向であった場合に、順方向であると判断する。ユーザは、入力中の数字を変更したい場合に、回転キー１４ｉを同一方向に連続的に回転させるので、ステップＳ２０３における回転が順方向であった場合（Ｓ２０７のＹｅｓ）は、ロック制御部２７は、入力対象となっている桁に入力されている数字に「１」を加算する（Ｓ２０９）。
【００４８】
また、ユーザは、入力中の数字を確定するとともに新たに次の桁の数字を入力したい場合に、回転キー１４ｉをそれまでとは逆方向に回転させるので、ステップＳ２０３における回転が逆方向であった場合（Ｓ２０７のＮｏ）は、ロック制御部２７は、まず入力対象となっている桁に入力されている数字を確定する（Ｓ２１１）。
【００４９】
ロック制御部２７は、ディスプレイ１２の表示画面３０に表示されている数字（入力が確定された桁に入力されている数字）を、アスタリスク「＊」で表記する（Ｓ２１３）。これにより、ユーザがロック番号を入力している間に、第三者によりディスプレイ１２が見られてしまった場合であっても、確定されたロック番号が漏洩してしまうことが防止される。そしてロック制御部２７は、入力対象の数字を次の桁に移動して（Ｓ２１５）、ロック番号入力処理を終了する。
【００５０】
なお、図１１（Ａ）に示すように、回転キー１４ｉを用いてロック番号の入力を行っているときに、数字とは関係のない無効の操作キー１４（例えばメールキー１４ａやＷｅｂキーｂ等）が入力された場合には、この入力は無効となる。このとき、図１１（Ｂ）に示すように、ディスプレイ１２の表示画面３０における表示は変更されず、そのままの状態が維持される。
【００５１】
そして、その後に回転キー１４ｉが順方向に回転された場合には、例えば図１１（Ａ）に示すように、回転前に「３」の数字が入力されていた場合には、図１１（Ｃ）に示すように、「３」の数字に「１」が加算された「４」の数字が入力される。一方で、その後に回転キー１４ｉが逆方向に回転された場合には、例えば図１１（Ａ）に示すように、回転前に「３」の数字が入力されていた場合には、１１（Ｄ）に示すように、この「３」の数字の入力が確定されるとともに、この桁の数字がアスタリスク「＊」で表示され、入力対象が次の桁に移動し、次の桁に「１」の数字が入力される。
【００５２】
ユーザは、図７（Ｃ）に示すように、ロック番号の全ての桁の入力を終えると、例えばＯＫキー１４ｇを押下することにより、ロック番号の入力を完了させる。ロック制御部２７は、入力が完了されたか否かを判断する（Ｓ１０９）。この際、ロック制御部２７は、例えばＯＫキー１４ｇが押下されたことに基づいて、ロック番号の入力が完了されたものと判断する。ロック番号の入力が完了されていない場合（Ｓ１０９のＮｏ）は、ステップＳ１０５に戻って、ロック制御部２７は再びロック番号の入力の終了が指示されたか否かを判断する。
【００５３】
ロック番号の入力が完了された場合（Ｓ１０９のＹｅｓ）は、ロック制御部２７は、ロック番号の認証を行う（Ｓ１１１）。すなわちロック制御部２７は、入力されたロック番号と予め記憶部２６に記憶されているロック番号とを比較し、双方が一致するか否かを判断する。
【００５４】
認証に失敗した場合、すなわち入力されたロック番号と予め記憶部２６に記憶されているロック番号とが一致しなかった場合（Ｓ１１１のＮｏ）は、ロック制御部２７は、ユーザに対して警告を発生する（Ｓ１１３）。この際、ロック制御部２７は、例えば図７（Ｄ）に示すように、ディスプレイ１２の表示画面３０にロック番号が間違っている旨を示す文字列を表示したり、警告音を発生させたりする等により、ユーザに対してロック番号が間違っている旨を警告する。そしてロック制御部２７は、ロックを解除することなく、ロック解除処理を終了する。
【００５５】
認証に成功した場合、すなわち入力されたロック番号と予め記憶部２６に記憶されているロック番号とが一致した場合（Ｓ１１１のＹｅｓ）は、ロック制御部２７は、携帯電話機１のロックを解除する（Ｓ１１５）。そして主制御部２０は、ステップＳ１０１にて起動が指示された機能を起動する（Ｓ１１７）。例えばステップＳ１０１にて音声発呼機能の起動が指示された場合には、主制御部２０はメール機能を起動して、図７（Ｅ）に示すように、ディスプレイ１２の表示画面３０にメール機能の画面を表示する。
【００５６】
このようにして携帯電話機１は、閉じた状態でロックが設定されているときに、ユーザにより外部に露出するように設置された回転キー１４ｉが回転されることによって数字を入力することができ、その入力されたロック番号を用いて認証を行い、認証に成功すれば閉じた状態のままでロックを解除することができる。
【００５７】
また、携帯電話機１を閉じた状態にしたままで、回転キー１４ｉを用いてロック番号が入力されているときに、携帯電話機１が開いた状態に変形されて、ダイヤルキー１５ａを用いてロック番号が入力された場合には、このダイヤルキー１５ａからの入力も同時に受け付けることができる。同様に、携帯電話機１を開いた状態にして、ダイヤルキー１５aを用いてロック番号が入力されているときに、回転キー１４ｉを用いてロック番号が入力された場合には、この回転キー１４ｉからの入力も同時に受け付けることができる。
【００５８】
携帯電話機１は、閉じた状態でロックが設定されているときにメールを受信した際に、ステップＳ１０１乃至Ｓ１１７の処理によりロックが解除された場合に、この受信メールに対して簡単にすばやく返信メールを送信する機能を備えている。携帯電話機１がこのメール返信処理を行う際の手順について、図１２に示すフローチャート、及び図１３に示す画面遷移図に基づいて説明する。なお、携帯電話機１は始めに閉じた状態でロックが設定されているものとする。
【００５９】
始めに主制御部２０は、携帯電話機１がメールを受信したか否かを判断する（Ｓ３０１）。携帯電話機１がメールを受信していない場合（Ｓ３０１のＮｏ）は、主制御部２０はそのまま待機する。携帯電話機１がメールを受信した場合（Ｓ３０１のＹｅｓ）は、主制御部２０は、携帯電話機１に設定されていたロックが解除されたか否かを判断する（Ｓ３０２）。
【００６０】
すなわち、携帯電話機１がメールを受信したときに、主制御部２０は、例えばディスプレイ１２の表示画面３０に、メールを受信した旨を表示して、ユーザに対してこの受信メールを閲覧するか否かを判断するように促す。そして、ユーザが受信メールを閲覧するために所定の操作キー１４を押下した場合には、ロック制御部２７は、ステップＳ１０１乃至Ｓ１１７の処理を行って、携帯電話機１に設定されているロックを解除する。
【００６１】
このとき、ロック制御部２７は、ステップＳ１０３にて、例えば図１３（Ａ）に示すように、ディスプレイ１２の表示画面３０にロック番号の入力欄３１を表示して、ユーザに対してロック番号の入力を促し、ステップＳ１０７にて、ユーザによりロック番号が入力されると、ステップＳ１１１にて、入力されたロック番号と予め記憶部２６に記憶されたロック番号との認証を行い、認証に成功した場合には、ステップＳ１１５にて、携帯電話機に設定されているロックを解除する。
【００６２】
ロックが解除されなかった場合（Ｓ３０２のＮｏ）は、主制御部２０は、受信メールの閲覧を行わずにメール返信処理を終了する。なお、主制御部２０は、例えばユーザが受信メールの閲覧を指示しなかった場合や、所定時間以内に携帯電話機１のロックが解除されなかった場合に、ロックが解除されなかったものと判断すると良い。
【００６３】
携帯電話機１に設定されていたロックが解除された場合（Ｓ３０２のＹｅｓ）は、主制御部２０は、ステップＳ３０１にて受信したメールをディスプレイ１２の表示画面３０に表示する（Ｓ３０３）。この際、表示画面３０には、例えば図１３（Ｂ）に示すように、受信日時、送信元、タイトル、本文等のメール情報が表示されるとともに、この受信メールに対して返信メールを作成するための返信ボタン３２、受信メールの表示を終了するためのＯＫボタン３３、受信メールに対して様々な処理を行うためのサブメニューボタン３４が表示される。また、サブメニューボタン３４に対応する操作キー１４が押下された場合には、表示画面３０には、例えば図１３（Ｃ）に示すように、「返信」、「クイック返信」等のサブメニューが表示される。
【００６４】
主制御部２０は、ステップＳ３０１にて受信した受信メールに対する返信メールの作成が指示されたか否かを判断する（Ｓ３０５）。この際、主制御部２０は、例えば返信ボタン３２またはサブメニューボタン３４に対応する操作キー１４が押下された場合に、返信メールの作成が指示されたものと判断し、ＯＫボタン３３に対応する操作キー１４が押下された場合に、返信メールの作成が支持されていないものと判断する。返信が指示されていない場合（Ｓ３０５のＮｏ）は、主制御部２０は、ステップＳ３０３にて表示したメール情報の表示を終了して、返信メールを作成せずにメール返信処理を終了する。
【００６５】
返信メールの作成が指示された場合（Ｓ３０５のＹｅｓ）は、主制御部２０は、ステップＳ３０５にて指示されたのが、クイック返信か否かを判断する（Ｓ３０７）。クイック返信とは、受信メールに対して、複数の選択肢の中からユーザが選択することのみにより、メールの本文を入力して返信メールを作成し、このメールを返信する返信方法である。
【００６６】
この際、主制御部２０は、例えば返信ボタン３２に対応する操作キー１４が長押しされた場合や、サブメニュー３３に対応する操作キー１４が押下されたことにより表示されたサブメニューから「クイック返信」が選択された場合等に、クイック返信が指示されたものと判断する。また主制御部２０は、例えば返信ボタン３２に対応する操作キー１４が短押しされた場合や、サブメニュー３４に対応する操作キー１４が押下されたことにより表示されたサブメニューから「返信」が選択された場合等に、クイック返信ではない通常の返信が指示されたものと判断する。
【００６７】
ステップＳ３０５にて指示されたのがクイック返信であった場合（Ｓ３０７のＹｅｓ）は、主制御部２０は、返信メールの本文とする定型文のリストをディスプレイ１２の表示画面３０に表示する（Ｓ３０９）。このとき表示画面３０には、例えば図１３（Ｄ）に示すように、「Ｔｈａｎｋ  ｙｏｕ」、「ありがとう」、「ＯＫ」等の定型文が羅列されて表示されるとともに、定型文のカテゴリを設定するためのカテゴリボタン３５、選択されている定型文を決定するための選択ボタン３６が表示される。例えば定型文は、「あいさつ」、「返事」等のカテゴリごとに分類されていて、ユーザにより選択されたカテゴリに基づいて、このカテゴリに属する定型文が同時に表示される。
【００６８】
ユーザは、例えばカテゴリボタン３５に対応する操作キー１４（例えばメールキー１４ａ）を押下して定型文のカテゴリを決定し、回転キー１４ｉを回転させたり方向キー１４ｈを押下したりすることにより所望の定型文を選択して、選択ボタン３６に対応する操作キー１４（例えばＯＫボタン１４ｇ）を押下することにより、メールの本文に入力される定型文を決定する。
【００６９】
主制御部２０は、メールの本文に入力される定型文が選択されたか否かを判断する（Ｓ３１１）。定型文が選択されていない場合（Ｓ３１１のＮｏ）は、主制御部２０は定型文が選択されるまで待機する。定型文が選択された場合（Ｓ３１１のＹｅｓ）は、主制御部２０は、選択された定型文を返信メールの本文に設定する（Ｓ３１３）。
【００７０】
例えば図１３（Ｄ）に示すように、ステップＳ３１１にて「ありがとう」の定型文が選択された場合には、ディスプレイ１２の表示画面３０に、図１３（Ｅ）に示すようなメール作成画面が表示され、このメール作成画面において、ステップＳ３１３にて「ありがとう」の定型文が返信メールの本文として設定される。そして主制御部２０は、この返信メールをステップＳ３０１にて受信したメールの送信元に対して送信する（Ｓ３１５）。
【００７１】
ステップＳ３０５にて指示されたのがクイック返信でなかった場合（Ｓ３０７のＮｏ）は、主制御部２０は、ディスプレイ１２の表示画面３０に通常のメール作成画面を表示する（Ｓ３１７）。そして、ユーザは携帯電話機１を開いた状態に変形させて、ダイヤルキー１５ａを用いて返信メールの本文を入力する。
【００７２】
主制御部２０は、本文が入力されたか否かを判断する（Ｓ３１９）。この際、主制御部２０は、例えば通常のメール作成画面において本文が入力されて、ＯＫボタン１４ｇが押下されたことに基づいて、本文が入力されたものと判断する。本文が入力されていない場合（Ｓ３１９のＮｏ）は、主制御部２０は本文が入力されるまで待機する。本文が入力された場合（Ｓ３１９のＹｅｓ）は、主制御部２０は、この作成された返信メールをステップＳ３０１にて受信したメールの送信元に対して送信する（Ｓ３１５）。
【００７３】
そして主制御部２０は、携帯電話機１に再びロックを設定する（Ｓ３２１）。このとき主制御部２０は、ステップＳ３１５にてメールを送信してから所定時間が経過したことに基づいて、携帯電話機１にロックを設定しても、ステップＳ３１５にてメールを送信した直後に携帯電話機１にロックを設定しても良い。または、ユーザの操作キー１４やサイドキー１７を介した入力に基づいて、携帯電話機１にロックを設定しても良い。
【００７４】
このようにして携帯電話機１は、ロックが設定されているときにメールを受信した場合に、閉じた状態のままで、回転キー１４ｉを用いて入力された数値に基づいてロックを解除するととともに、ユーザがこの受信メールに対する返信メールを簡単に作成したい場合に、定型文を提示して回転キー１４ｉを用いて選択させ、この選択された定型文が本文に設定された返信メールを送信する。これにより、ユーザは、携帯電話機１を閉じた状態にしたままで、受信メールに対する返信メールを送信することができる。
【００７５】
なお、回転キー１４ｉを用いて数値を入力する方法として、順方向の回転で入力対象の桁に入力されている数値に「１」を加算して、逆方向の回転で入力対象の桁に入力されている数値を確定をする方法について説明したが、これに限定されない。例えば、図１４（Ａ）に示すように、時計回りの回転で入力対象の桁に入力されている数値に「１」を加算し、反時計回りの回転で入力対象の桁に入力されている数値に「−１」を加算（「１」を減算）するとともに、図１４（Ｂ）に示すように、方向キー１４ｈの正面視右側を押下することにより入力対象の桁に入力されている数値を確定して次の桁に移動し、方向キー１４ｈの正面視左側を押下することにより入力対象の桁に入力されている数値をクリアするようにしても良い。
【００７６】
本発明に係る携帯電話機１によると、常に外部に露出する位置に回転キー１４ｉを備え、ロックが設定されているときに、ユーザが、この回転キー１４ｉを回転させることによりロック番号を入力してロックを解除することが可能となる。
【００７７】
また、本発明に係る携帯電話機１によると、常に外部に露出する位置に回転キー１４ｉを備え、ロックが設定されているときにメールを受信した場合に、ユーザが、この回転キー１４ｉを回転させることによりロック番号を入力してロックを解除するとともに、簡単に返信メールを送信することが可能となる。
【００７８】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等、回転キー及びロック機能を備えている電子機器であれば、任意の電子機器であっても良い。
【図面の簡単な説明】
【００７９】
【図１】（Ａ）は、本発明に係る携帯電話機の閉じた状態を示す斜視図、（Ｂ）は、本発明に係る携帯電話機の開いた状態を示す斜視図。
【図２】本発明に係る携帯電話機の機能ブロック図。
【図３】（Ａ）は、本発明に係る携帯電話機の閉じた状態におけるキー配列を示す図、（Ｂ）は、本発明に係る携帯電話機の開いた状態におけるキー配列を示す図。
【図４】本発明に係る携帯電話機のキー配列表を示す図。
【図５】（Ａ）は、本発明に係る携帯電話機において回転キーを用いて数値を入力する方法を説明するための概略図、（Ｂ）は、本発明に係る携帯電話機において回転キーを用いて数値を入力する方法を説明するための概略図。
【図６】本発明に係る携帯電話機においてロック解除処理を行う際の手順を示すフローチャート。
【図７】（Ａ）乃至（Ｅ）は、本発明に係る携帯電話機においてロック解除処理を行う際の画面遷移図。
【図８】本発明に係る携帯電話機においてロック番号入力処理を行う際の手順を示すフローチャート。
【図９】（Ａ）乃至（Ｇ）は、本発明に係る携帯電話機においてロック番号入力処理を行う際の画面遷移図。
【図１０】（Ａ）乃至（Ｃ）は、本発明に係る携帯電話機においてロック番号入力処理を行う際の画面遷移図。
【図１１】（Ａ）乃至（Ｄ）は、本発明に係る携帯電話機においてロック番号入力処理を行う際の画面遷移図。
【図１２】本発明に係る携帯電話機においメール返信処理を行う際の手順を示すフローチャート。
【図１３】（Ａ）乃至（Ｅ）は、本発明に係る携帯電話機においてメール返信処理を行う際の画面遷移図。
【図１４】（Ａ）は、本発明に係る携帯電話機において回転キーを用いて数値を入力する方法を説明するための概略図、（Ｂ）は、本発明に係る携帯電話機において方向キーを用いて入力を確定・クリアする方法を説明するための概略図。
【符号の説明】
【００８０】
１…携帯電話機，１０…上筐体，１１…下筐体，１２…ディスプレイ１２…スピーカ，１４、１５…操作キー，１６…マイクロフォン，１７…サイドキー，２０…主制御部，２１…電源回路部，２２…操作入力制御部，２３…表示制御部，２４…音声制御部，２５…通信制御部，２５ａ…アンテナ，２６…記憶部，２７…ロック制御部，３０…表示画面，３１…入力欄，３２…返信ボタン，３３…ＯＫボタン，３４…サブメニューボタン，３５…カテゴリボタン，３６…選択ボタン。
【図１】
2010081094.tif 000003
【図２】
2010081094.tif 000004
【図３】
2010081094.tif 000005
【図４】
2010081094.tif 000006
【図５】
2010081094.tif 000007
【図６】
2010081094.tif 000008
【図７】
2010081094.tif 000009
【図８】
2010081094.tif 000010
【図９】
2010081094.tif 000011
【図１０】
2010081094.tif 000012
【図１１】
2010081094.tif 000013
【図１２】
2010081094.tif 000014
【図１３】
2010081094.tif 000015
【図１４】
2010081094.tif 000016